(57)【特許請求の範囲】
【請求項１】
引戸本体を収納する戸袋が壁に設けられているとともに、この戸袋が下地部材に外面形成部材を取り付けることにより形成されている引戸装置において、
厚さ寸法の異なるそれぞれの前記壁について、前記戸袋の内外方向における前記下地部材の配置位置が、前記外面形成部材の表面位置と前記戸袋の部分から外れた前記壁の部分の表面位置とを一致又は略一致させる位置になっており、
前記戸袋の引戸本体閉じ側端部には見切り材としての竪額縁が設けられ、この竪額縁には前記引戸本体の側へ突出する指詰め防止部材が取り付けられているとともに、厚さ寸法が小さい前記壁についてのこの指詰め防止部材の戸袋内外方向の寸法は、厚さ寸法が大きい前記壁についての前記指詰め防止部材の戸袋内外方向の寸法よりも小さくなっており、
厚さ寸法が小さい前記壁についての前記引戸本体の戸袋内外方向の厚さ寸法と、厚さ寸法が大きい前記壁についての前記引戸本体の戸袋内外方向の厚さ寸法とが同じになっていることを特徴とする引戸装置。
【請求項２】
請求項１に記載の引戸装置において、前記下地部材及び前記外面形成部材は前記引戸本体の一方の面と他方の面とに対向する両方の側にあり、これらの下地部材及び外面形成部材で形成される前記戸袋は前記引戸本体の一方の面と他方の面を覆うものになっていることを特徴とする引戸装置。
【請求項３】
請求項１又は２に記載の引戸装置において、前記下地部材は、前記戸袋の外側と内側のうちの少なくとも一方へ屈曲した屈曲部を有するものとなっていることを特徴とする引戸装置。
【請求項４】
請求項３に記載の引戸装置において、前記外面形成部材は前記戸袋の内外方向に複数枚あり、前記戸袋の部分における内側の外面形成部材は、この内側の外面形成部材の端面と前記屈曲部とが対向して配置され、前記内側の外面形成部材の外側に別の外面形成部材が配置されていることを特徴とする引戸装置。
【請求項５】
請求項４に記載の引戸装置において、前記別の外面形成部材は、前記戸袋の部分から外れた前記壁の部分の外面形成部材にもなっていることを特徴とする引戸装置。
【請求項６】
請求項３に記載の引戸装置において、前記下地部材は間隔を開けて複数個あり、前記外面形成部材は前記戸袋の内外方向に複数枚あるとともに、前記戸袋の部分における内側の外面形成部材は、この内側の外面形成部材の端面と前記屈曲部とが対向して前記複数の下地部材同士の間に配置されており、この内側の外面形成部材の外側に別の外面形成部材が配置されていることを特徴とする引戸装置。
【請求項７】
請求項６に記載の引戸装置において、前記別の外面形成部材は、前記戸袋の部分から外れた前記壁の部分の外面形成部材にもなっていることを特徴とする引戸装置。
【請求項８】
請求項５又は７に記載の引戸装置において、前記戸袋の部分から外れた前記壁の部分の外面形成部材となっている前記別の外面形成部材の内側にも、内側の外面形成部材が配置され、厚さ寸法が小さい前記壁についてのこの内側の外面形成部材の厚さ寸法は、厚さ寸法が大きい前記壁についての前記内側の外面形成部材の厚さ寸法よりも小さくなっていることを特徴とする引戸装置。
【請求項９】
請求項４〜８のいずれかに記載の引戸装置において、前記戸袋の部分における前記内側の外面形成部材の厚さ寸法は、前記屈曲部における前記戸袋の内外方向の幅寸法と対応していることを特徴とする引戸装置。
【請求項１０】
請求項１〜９のいずれかに記載の引戸装置において、外枠組み体の基本構造は、無目と、引戸本体戸先側の縦枠と、引戸本体戸尻側の縦枠とで形成され、この引戸本体戸尻側の縦枠により前記戸袋の終端部が形成されているとともに、厚さ寸法が小さい前記壁についてのこれらの無目と引戸本体戸先側の縦枠と引戸本体戸尻側の縦枠の戸袋内外方向の寸法は、厚さ寸法が大きい前記壁についての前記無目と引戸本体戸先側の縦枠と引戸本体戸尻側の縦枠の戸袋内外方向の寸法よりも小さくなっていることを特徴とする引戸装置。
【発明の詳細な説明】
【０００１】
【発明の属する技術分野】
本発明は、引戸本体が収納される戸袋を備えた引戸装置に係り、例えば、引戸本体が上部のガイド#部材から吊り下げられて案内移動する上吊り式の引戸装置等に利用できるものである。
【０００２】
【背景技術】
建物内の部屋と廊下を仕切るためや、部屋同士等を仕切るために上吊り式の引戸装置が用いられ、この上吊り式の引戸装置では、無目の内部に配置されたガイドレールから引戸本体が吊り下げられ、ガイド部材になっているこのガイドレールに案内されて引戸本体が移動することにより出入口等の開口部が開閉され、開口部を開いた引戸本体は壁に設けられた戸袋に収納される。
【０００３】
各種の引戸装置のなかには、戸袋が壁の内部に設けられているタイプ、すなわち、戸袋が壁収納型となっているものがあり、他のタイプとしては、戸袋が壁との連続性をもって壁に設置されているが、構造や使用材料の点で壁と異なっており、戸袋を外部から認識できてこの戸袋が壁から露出している外部露出型となっているものがある。戸袋は、これらいずれのタイプでも、この下地部材に石膏ボード又は金属パネル等による外面形成部材を取り付けることにより形成されている。
【０００４】
【発明が解決しようとする課題】
壁の厚さ寸法は、その壁が設けられている建物の部位や、その建物の種類等に応じて設定される。したがって、引戸装置の戸袋が設置される壁には、厚さ寸法の異なるものがある。
【０００５】
上記壁収納型の戸袋においては、戸袋の部分の表面位置と、戸袋から外れた壁の部分の表面位置とを一致又は略一致させることが必要な場合がある。また、前記外部露出型の戸袋においても、壁との連続性等に関して戸袋の外観を良好とするために、戸袋の表面位置と、戸袋から外れた壁の表面位置とを一致又は略一致させることが必要な場合がある。
【０００６】
これらの場合において、厚さ寸法の異なるそれぞれの壁に対処するために、戸袋の外面を形成している外面形成部材を取り付けるための前記下地部材として、戸袋の内外方向の寸法が異なる複数種類の下地部材を用意し、これらの中から使用する下地部材を壁の厚さ寸法に応じて選択し、これにより、戸袋の部分の表面位置と、戸袋から外れた壁の部分の表面位置とを一致又は略一致させるようにすることが考えられるが、これによると、壁の厚さ寸法に応じて戸袋の内外方向の寸法が異なる複数種類の下地部材を用意しておかなければならず、下地部材の製造や、製造された下地部材の管理等が面倒になるため、これを有効に解決できる工夫が求められる。
【０００７】
本発明の目的は、厚さ寸法が異なるそれぞれの壁について、戸袋の内外方向の寸法が同じになっている下地部材を用いて戸袋を形成できるようになる引戸装置を提供するところにある。
【０００８】
【課題を解決するための手段】
本発明に係る引戸装置は、引戸本体を収納する戸袋が壁に設けられているとともに、この戸袋が下地部材に外面形成部材を取り付けることにより形成されている引戸装置において、厚さ寸法の異なるそれぞれの前記壁について、前記戸袋の内外方向における前記下地部材の配置位置が、前記外面形成部材の表面位置と前記戸袋の部分から外れた前記壁の部分の表面位置とを一致又は略一致させる位置になっていることを特徴とするものである。
【０００９】
この引戸装置では、戸袋の内外方向における下地部材の配置位置が、外面形成部材の表面位置と戸袋の部分から外れた壁の部分の表面位置とを一致又は略一致させる位置になっており、壁の厚さ寸法に応じて下地部材の戸袋内外方向の寸法を変えるのではなく、下地部材の戸袋内外方向における配置位置を変えているため、厚さ寸法の異なるそれぞれの壁について、戸袋内外方向の寸法が同じになった下地部材を用いることができる。
【００１０】
このため、厚さ寸法が異なっているそれぞれの壁に設ける戸袋は同じ下地部材を用いて形成できるようになり、言い換えると、下地部材の共通化を達成でき、戸袋内外方向の寸法が異なる複数種類の下地部材を製造する必要がないため、下地部材の製造やその管理等が容易になる。
【００１１】
戸袋内外方向の寸法が同じになっている下地部材を用いて形成する戸袋は、壁の内部に設けられる壁収納型でもよく、外部から認識できて壁から露出している外部露出型でもよい。
【００１２】
なお、本発明において、戸袋内外方向の寸法が同じになっている下地部材とは、戸袋内外方向の寸法が正確に一致している下地部材と、例えば、製造誤差や施工誤差等の誤差のために戸袋内外方向の寸法に多少の相違がある下地部材との両方を含むものである。
【００１３】
また、以上において、下地部材に外面形成部材を取り付けることにより形成される戸袋は、下地部材及び外面形成部材が引戸本体の一方の面と他方の面とに対向する両方の側にあって、引戸本体の両方の面を覆う袋状になっているものでもよく、あるいは、下地部材及び外面形成部材が引戸本体の片面側だけにあり、引戸本体の片側だけ覆う片面タイプのものでもよい。また、袋状になっている戸袋については、一方の側と他方の側にある下地部材及び外面形成部材がこれらの側について同じ種類の材料による同じ厚さのものでもよく、材料と厚さのうちの少なくとも一方が異なるものでもよい。
【００１４】
さらに、下地部材は、金属パネル等のように平面状部材でもよく、例えば、アングル材等のように、戸袋の外側と内側のうちの少なくとも一方へ屈曲した屈曲部を有する屈曲材でもよい。この屈曲材には、チャンネル材（リップ付きとリップ無しの両方を含む）、Ｉ型材、Ｈ型材、Ｔ型材が含まれ、また、長さ方向と直角をなす幅方向の途中部に戸袋の内側と外側のうちの少なくとも一方へ屈曲突出した屈曲突出部をしているものも含まれる。
【００１５】
このように下地部材を戸袋の外側と内側のうちの少なくとも一方へ屈曲した屈曲部を有するものとした場合には、それだけ下地部材の強度を大きくできることになり、この結果、外面形成部材が取り付けられ、戸袋の骨組み材となっている下地部材の強度に関する機能を向上させることができる。
【００１６】
以上において、外面形成部材は、戸袋内外方向に複数枚とすること、すなわち戸袋内外方向に複数枚重ねたものとしてもよく、戸袋内外方向に１枚だけとしてもよい。
【００１７】
外面形成部材を戸袋内外方向に複数枚とすると、戸袋の耐火性や防音性等の性能を向上させることができる。戸袋の内外方向に重ねる外面形成部材の枚数は、２枚でもよく、３枚やそれ以上でもよい。
【００１８】
このように戸袋内外方向に複数枚の外面形成部材を重ねる場合においては、全部の外面形成部材を下地部材に対して戸袋外側に配置してもよく、あるいは、下地部材が前述したように戸袋の外側と内側のうちの少なくとも一方へ屈曲した屈曲部を有している場合には、内側の外面形成部材、言い換えると、複数枚の外面形成部材のうちの最も戸袋内側に配置される外面形成部材を、この外面形成部材の端面と、下地部材の屈曲部とを対向させて配置させ、この外面形成部材の外側に別の外面形成部材を配置するようにしてもよい。
【００１９】
これによると、下地部材の屈曲部によって形成される空間部を有効に利用して内側の外面形成部材の配置を行えるようになる。
【００２０】
また、この場合において、引戸本体に対する同じ側に配置する下地部材の個数は１個だけでもよく、間隔を開けた複数個でもよい。
【００２１】
また、引戸本体に対する同じ側に配置する下地部材の個数を間隔を開けた複数個とし、かつ、それぞれの下地部材を戸袋の外側と内側のうちの少なくとも一方へ屈曲した屈曲部を有するものとする場合には、前記内側の外面形成部材を、この内側の外面形成部材の端面と屈曲部とを対向させて複数個の下地部材同士の間に配置し、その外側の別の外面形成部材を配置してもよい。
【００２２】
これによると、下地部材の取り扱いの容易化や全体重量の軽量化等のために下地部材を間隔を開けて配置された複数個としても、戸袋内外方向に複数枚の外面形成部材を有効に配置できるようになる。
【００２３】
このように下地部材を間隔を開けた複数個とする場合には、これらの下地部材の間隔方向を戸袋の幅方向としてもよく、この幅方向と直角をなす方向としてもよく、これらの方向と傾き角度をなす方向でもよい。さらには、複数の下地部材のうちの一部と他の下地部材とを、格子形等をなすように互い交叉させ、かつ同じ向きに延びる下地部材同士を間隔を開けて配置してもよい。
【００２４】
以上のように下地部材の個数が１個である場合と複数個である両方の場合であって、複数枚の外面形成部材を戸袋内外方向に配置する場合には、内側の外面形成部材の外側に配置される前記別の外面形成部材は、戸袋の部分だけの外面形成部材になっていてもよく、戸袋から外れた前記壁の部分の外面形成部材にもなっていてもよい。
【００２５】
後者によると、外面形成部材は、戸袋の部分と、この戸袋から外れた壁の部分との両方に跨るまで大きなものとなる。これにより、外観上の戸袋は壁の内部に設けられたものとなるため、前記別の外面形成部材をこのように大きなものにすることは、戸袋を壁収納型とする場合に好適である。
【００２６】
また、前述のように内側の外面形成部材と下地部材の屈曲部とを対向させてこの内側の外面形成部材を配置する場合には、内側の外面形成部材の厚さ寸法を屈曲部の戸袋内外方向の寸法と対応させることが好ましい。
【００２７】
このようにすると、屈曲部で形成される空間の大きさが内側の外面形成部材の大きさと対応することになり、この空間に有効に内側の外面形成部材を配置できるとともに、この外面形成部材を下地部材に取り付ける場合には、この取り付けも容易になる。
【００２８】
以上の本発明は各種構造、形式の引戸装置に適用でき、その一例は、引戸本体が上部に配置されたガイド部材から吊り下げられ、このガイド部材が戸袋の内部まで延びている上吊り式引戸装置である。また、他の例は、引戸本体が下部に施設されたガイドレールに案内されて移動する引戸装置である。
【００２９】
前者の引戸装置において、ガイド部材はガイドレールでもよく、スライディングレールでもよい。
【００３０】
また、前者及び後者の引戸装置において、引戸本体の移動は人手操作によって行われてもよく、駆動装置によって行われてもよい。また、この駆動装置は、引戸本体の閉じ移動と開き移動の両方を自動的に行うものでもよく、これらのいずれか一方を自動的に行い、他方を人手操作で行うものでもよい。
【００３１】
この駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンで引戸本体を移動させるモータ式のものでもよく、電磁石の吸引力、反発力で引戸本体を移動させるリニアモータ式のもの等でもよい。
【００３２】
また、駆動装置はガイド部材等の不動部材側に取り付けてもよく、移動する引戸本体等の移動体側に取り付けてもよい。
【００３３】
また、本発明は、引戸本体の移動が引戸本体の自重で自動的になされるように、上記ガイド部材が引戸本体の閉じ側又は開き側に下り傾斜で固定的に配置され、又は閉じ側と開き側に傾斜方向が可変に配置された引戸装置にも適用できる。この場合におけるガイド部材は、引戸本体の移動方向へ連続した１本のものでもよく、途中で分割されて複数本となったものでもよい。
【００３４】
さらに、本発明が適用される引戸装置は、引戸本体が１個のものでもよく、複数個のものでもよい。引戸装置が複数個の引戸本体を備えている場合において、これらの引戸本体は引き分け式となっていてもよく、引き違い式になっていてもよく、これら両方のものが組み合わせられたものでもよく、さらには、引戸本体が戸袋を間に挟んでその両側に配置された引戸装置にも本発明を適用できる。
【００３５】
このように、複数個の引戸本体を備えた引戸装置に本発明を適用するとき、その戸袋は１個の引戸本体を収納するためのものでもよく、複数個の引戸本体を収納するためのものでもよい。
【００３６】
【発明の実施の形態】
以下に本発明の実施形態を図面に基づいて説明する。初めに、本実施形態に係る引戸装置の全体を説明する。
【００３７】
図１は、本実施形態に係る引戸装置の全体を示す正面図である。この引戸装置は、建物内の廊下と部屋との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が収納される戸袋７が壁４の内部に設けられている壁収納型の引戸装置になっている。
【００３８】
また、引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。
【００３９】
無目２は、無目本体２Ａと、この無目本体２Ａに止めねじ等の止め具で取り付け、取り外し自在になっていて、無目本体２Ａに対して開閉自在になっている点検用カバー２Ｂとからなる。無目本体２Ａは、図１のＳ５―Ｓ５線断面図である図５に示されているように、戸袋７まで延びる長さを有し、点検用カバー２Ｂは、無目本体２Ａの全長のうち、開口部６の上部に相当する位置だけに設けられている。
【００４０】
図２及び図３には、引戸本体１を移動させるために無目本体２Ａ及び壁４の内部に配置された移動機構が示されている。図２は、この移動機構によって引戸本体１が閉じ限位置に達しているときを示し、図３は、引戸本体１が開き限位置に達しているときを示す。
【００４１】
図２に示すように、無目本体２Ａの内部には引戸本体１の移動を案内するためのガイド部材であるガイドレール１０が組み込まれ、上記移動機構を形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４２】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４３】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００４４】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００４５】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００４６】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００４７】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００４８】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００４９】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００５０】
したがって、本実施形態における引戸本体１を閉じ側へ自動的に移動させるための駆動装置３０は渦巻きばね式であるとともに、紐状部材３４の引張力による引張式駆動装置となっている。
【００５１】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５２】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５３】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００５４】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００５５】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００５６】
図１で示すように、戸袋７の部分には、横方向（戸袋７の幅方向であって、引戸本体１の移動方向）に細長い下地部材５０が配置され、細長状部材となっているこの下地部材５０は、上下方向に間隔を開けて複数設けられている。これらの下地部材５０は、戸袋７の幅方向両端部まで達する同じ長さを有しているが、本実施形態に係る戸袋７には、図５に示されているように、上下寸法が異なる４種類の下地部材５０Ａ，５０Ｂ，５０Ｃ，５０Ｄが用いられている。
【００５７】
すなわち、戸袋７の両方の面において、言い換えると、引戸本体１の一方の面と他方の面とに対向する両方の側において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い換えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。
【００５８】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向に屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲した部分を有する屈曲部付き部材となっており、これらの下地部材５０は、上下の幅狭のフランジ部５２から屈曲突出部５１の屈曲部５１Ａが直角又は略直角に折り曲げられたものとなっている。
【００５９】
図１のＳ８−Ｓ８線断面図である図８に示すように、戸袋７の引戸本体閉じ側端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００６０】
図５に示すように、内部が戸袋７となっている壁４の外面は、戸袋７の内外方向に重ねられた内外２枚の外面形成部材５５，５６で形成され、石膏ボード製であるこれらの外面形成部材５５，５６のうち、内側の外面形成部材５５は、上下に間隔を開けて平行に配設されている下地部材５０同士の間に複数組み込まれている。これらの外面形成部材５５の厚さは下地部材５０の図９で示した屈曲部５１Ａの幅寸法Ｗと対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００６１】
図７は図５の一部拡大図であり、最下段の下地部材５０Ａにおける両方のフランジ部５２に、この下地部材５０Ａの上下に配置されている外面形成部材５５が図９で示された両面粘着テープ５７で固定されており、この下地部材５０Ａ以外の下地部材５０についても、これと同様に外面形成部材５５がフランジ部５２に両面粘着テープ５７で固定されている。
【００６２】
また、それぞれの外面形成部材５５の前記開口部６側の端部は、図８で示した竪額縁９の延出部９Ａと補助部材５３の延出部５３Ａとの間に挿入されている。
【００６３】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００６４】
以上のように配置された内側の外面形成部材５５の外側に大面積を有する外側外面形成部材５６が配置され、この外面形成部材５６は、下地部材５０の屈曲突出部５１、補助部材５３の延出部５３Ａ、外側の幅木５９の両端立上部５９Ａにステープル等の止着具で結合されている。
【００６５】
この外面形成部材５６は、図５に示すとおり、上下に並設されているそれぞれの下地部材５０及び内側の外面形成部材５５を覆い、したがって床５から無目２を超えるまでの大きな上下寸法を有するとともに、図８に示すとおり、戸袋７から外れた壁４の部分まで延びる大きな横寸法を有するものである。このため、この外側の外面形成部材５６は、戸袋７の部分から外れた壁４の部分の外面形成部材にもなっており、外面形成部材５６の施工後、外面形成部材５６の表面にビニルクロス等の化粧部材が被せられることにより、戸袋７の部分を含めた壁４が仕上られている。
【００６６】
以上のことから、外面形成部材５６によって形成されている戸袋７の表面位置と、外面形成部材５６によって形成されている戸袋７から外れた壁４の部分の表面位置とは、一致している。
【００６７】
以上において、図８に示すように、壁４の厚さ寸法はＴ１である。このような厚さ寸法Ｔ１の壁４を形成するために用いられている内側の外面形成部材５５の厚さ寸法は、図７で示したｔ１であり、外側の外面形成部材５６の厚さ寸法はｔ２である。ｔ１とｔ２は同じでもよく、異なっていてもよい。ｔ１は、前述したように、図９で示した下地部材５０の屈曲部５１Ａにおける戸袋７の内外方向の寸法Ｗと対応しており、図８で示すように、戸袋７から外れた壁４の部分において、外側の外面形成部材５６の内側に配置されている外面形成部材６０の厚さ寸法は、ｔ１と同じでもよく、ｔ１と異なる寸法でもよい。
【００６８】
図１０は、厚さ寸法がＴ２となっている壁７０の場合を示している。この場合には、Ｔ２は図８のＴ１よりも小さいため、戸袋７から外れた壁７０の部分における内側の外面形成部材７１の厚さ寸法は、図８における内側の外面形成部材６０の厚さ寸法よりも小さい。しかし、外側の外面形成部材５６は、図８の外側の外面形成部材５６と同じものが使用され、また、それぞれの下地部材５０は図８の下地部材５０と同じものが使用され、竪額縁９及び補助部材５３も図８の竪額縁９及び補助部材５３と同じものが使用され、引戸本体１も図８の引戸本体１と同じものになっている。
【００６９】
このように図１０の下地部材５０は図８の下地部材５０と同じものであるため、図１０の場合においても、上下に間隔を開けて並設されている下地部材５０同士の間の配置される内側の外面形成部材は、図７で示された厚さ寸法ｔ１の外面形成部材５５と同じものが用いられている。
【００７０】
一方、壁７０の厚さ寸法Ｔ２はＴ１よりも小さいため、図１０の場合には、引戸本体戸先側の縦枠７２及び戸尻側の縦枠７３と、無目と、戸袋７０の下部に配置されている内外２個の幅木とのそれぞれは、図１等で示されているこれらの縦枠３，８、無目２、幅木５８，５９のそれぞれの戸袋内外方向の寸法よりも小さいものが使用されている。また、図１０の場合には、引戸本体１と竪額縁９との間隔が図８よりも小さくなるため、竪額縁９に取り付けられている指詰め防止部材９Ｂは、図８の指詰め防止部材９Ａよりも戸袋内外方向の寸法が小さなものとなっている。
【００７１】
以上のように、図１０の壁７０の厚さ寸法Ｔ２が図８の壁４の厚さ寸法Ｔ１よりも小さくなっていても、図８と同じく、外面形成部材５６によって形成されている戸袋７の表面位置と、外面形成部材５６によって形成されている戸袋７から外れた壁４の部分の表面位置とは、一致している。
【００７２】
これらの表面位置を一致させるために、図１０の下地部材５０の配置位置は、縦枠７２，７３、無目、幅木のそれぞれの戸袋内外方向の寸法の変更に伴って調整されている引戸本体１の一方の面の側と他方の面の側の２個の竪額縁９同士の間隔にしたがい、図８の下地部材５０の配置位置よりも壁厚さ中心位置に近い位置になっている。具体的に説明すると、図８では、戸袋７の厚さ中心（すなわち壁４の厚さ中心）Ｎからの下地部材５０の離間間隔はＬ１であるが、図１０では、この離間間隔がＬ２になっており、Ｌ２は、Ｌ１に比べてＴ１とＴ２の差の半分だけ小さくなっている。
【００７３】
すなわち、本実施形態では、壁の厚さ寸法が異なるそれぞれの引戸装置施工現場では、下地部材５０の配置位置を戸袋内外方向における適性な位置に設定することにより、外面形成部材５６によって形成される戸袋７の表面位置と、外面形成部材５６によって形成される戸袋７から外れた壁の部分の表面位置とを一致させるようにしており、これらの一致を、戸袋内外方向の寸法が異なる複数種類の下地部材を用意しておき、引戸装置施工現場に応じてこれらのなかから下地部材を選択使用するのではないため、壁の厚さ寸法が異なるそれぞれの引戸装置施工現場において、戸袋内外方向の寸法が同じになった下地部材５０を用いることができ、これにより、下地部材の共通化を図ることができる。
【００７４】
この結果、下地部材５０の製造及びその管理等を容易に行えるようになる。
【００７５】
また、下地部材５０は戸袋外側へ屈曲した屈曲部５１Ａを有するものであって、屈曲材となっているため、下地部材５０の強度は大きくなっている。このため、この下地部材５０が骨組み材となっている戸袋の強度も大きくできる。
【００７６】
さらに、戸袋の外面は、戸袋内外方向に重ねられた２枚の外面形成部材５５，５６で形成されているため、戸袋の耐火性や防音性を向上させることができる。
【００７７】
また、このように外面形成部材を戸袋内外方向に２枚としても、内側の外面形成部材５５は、図７に示されているように、この外面形成部材５５の端面と下地部材５０の屈曲部５１Ａとを対向させて配置されているため、屈曲部５１Ａによって形成される戸袋内外方向を厚さ方向とする空間部に有効に内側の外面形成部材５５を組み込むことができ、これにより、戸袋全体の厚さ寸法が大きくなるこを防止できる。
【００７８】
さらに、下地部材５０は戸袋全体と同じ又は略同じ面積を有する大きなものではなく、横方向に長い細長状部材であり、この下地部材５０を戸袋の上下方向に間隔を開けて配置したため、下地部材を戸袋全体と同じ又は略同じ面積を有する大きなものとした場合と比べ、引戸装置施工現場等での下地部材の取り扱い性が向上し、その重量の軽量化も達成できる。
【００７９】
また、上下に間隔を開けて配置されたそれぞれの下地部材５０の屈曲部５１Ａと内側の外面形成部材５５の端面５５Ａとを対向させて、この外面形成部材５５Ａを下地部材５０同士の間に配置したため、下地部材５０同士の間にできる空間部に外面形成部材５５を有効に配置できる。
【００８０】
さらにまた、下地部材５０の屈曲部５１Ａの寸法Ｗと内側の外面形成部材５５の厚さ寸法ｔ１は対応しているため、屈曲部５１Ａで形成される空間部に外面形成部材５５を配置したとき、下地部材５０における屈曲部５１Ａと連続形成されている図７及び図９のフランジ部５２に下地部材５０を両面粘着テープ５７で固定することができ、下地部材５０への外面形成部材５５の固定を容易に行える。
【００８１】
なお、フランジ部５２への外面形成部材５５の固定は、両面粘着テープではなく、ステープル等の他の固定手段を行ってもよい。
【００８２】
【発明の効果】
本発明によると、厚さ寸法が異なるそれぞれの壁について、戸袋の内外方向の寸法が同じになっている下地部材を用いて戸袋を形成できるようになるという効果を得られる。
【図面の簡単な説明】
【図１】本発明の一実施形態に係る引戸装置の全体を示す正面図である。
【図２】引戸本体を移動させるための移動機構を示す図であって、引戸本体が閉じ限位置に達しているときを示す図である。
【図３】引戸本体を移動させるための移動機構を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】下地部材の部分を示す図５の一部拡大図である。
【図８】図１のＳ８―Ｓ８線断面図である。
【図９】下地部材の全体斜視図である。
【図１０】厚さ寸法が異なる壁に設けた戸袋の場合を示す図８と同様の図である。
【符号の説明】
１  引戸本体
４，７０  壁
７  戸袋
５０，５０Ａ〜Ｄ  下地部材
５１  屈曲突出部
５１Ａ  屈曲部
５５  内側の外面形成部材
５５Ａ  端面
５６  外側の外面形成部材
【図１】
0004689853.tif 000002
【図２】
0004689853.tif 000003
【図３】
0004689853.tif 000004
【図４】
0004689853.tif 000005
【図５】
0004689853.tif 000006
【図６】
0004689853.tif 000007
【図７】
0004689853.tif 000008
【図８】
0004689853.tif 000009
【図９】
0004689853.tif 000010
【図１０】
0004689853.tif 000011